(57)【特許請求の範囲】
【請求項１】
仮設トイレのボックスの一部としてプラスチックのブロー成形体からなる中空２重壁のドアパネルを有し、前記ドアパネルの中空内部にオゾン発生器と、オゾン発生器で発生したオゾンをトイレボックス内外へ導く通気経路と、オゾン発生器で発生したオゾンを通気経路を通して送り出すファンが設置され、前記通気経路がトイレボックスの内側及び外側に設置されたノブの近傍に開口する放出開口に接続され、オゾンが前記放出開口から前記ノブに向けて放出されることを特徴とする殺菌・消臭機能付き仮設トイレ。     
【請求項２】
仮設トイレのボックスの一部としてプラスチックのブロー成形体からなる中空２重壁のドアパネルを有し、前記ドアパネルの中空内部にオゾン発生器が設置され、トイレボックスの内側及び外側に設置されたノブの近傍に放出開口が開口し、かつトイレボックスの外側に前記中空内部に通じる空気流入開口が開口し、前記空気流入開口から前記中空内部に流入した空気とともにオゾンが前記放出開口から前記ノブに向けて放出されることを特徴とする殺菌・消臭機能付き仮設トイレ。
【請求項３】
前記中空内部にオゾン発生器で発生したオゾンをトイレボックス内外へ導く通気経路が構成され、前記通気経路が前記放出開口及び空気流入開口に連通することを特徴とする請求項２に記載された殺菌・消臭機能付き仮設トイレ。
【発明の詳細な説明】
【技術分野】
【０００１】
本発明は、公共の場所、工事現場、イベント会場、パーキング、被災地など、様々な場所に設置される仮設トイレに関し、特に殺菌・消臭機能付き仮設トイレに関する。
【背景技術】
【０００２】
特許文献１には、仮設トイレのボックス天井部にオゾン発生器を設置し、ボックス内にオゾンを放出させ、仮設トイレの消臭を行うことが記載されている。
また、仮設トイレではなく屋内の常設トイレに関するものであるが、特許文献２には、トイレ外にオゾン発生器を設置し、給水タンクの正面及び底面の２箇所にオゾン吹き出し口を設け、便座上面と、便座下側部分及び周辺床面に向けてオゾンを吹き出させ、当該箇所の殺菌を行うことが記載されている。特許文献３には、便器の近傍にオゾン発生器を設置し、便蓋にオゾンの吹き出し口を有するパッドを設置し、便蓋を閉じたとき便座上及び便器内にオゾンを吹き出させ、殺菌及び消臭を行うことが記載されている。特許文献４には、便器近傍にオゾン脱臭装置を設置し、便器内の臭気を吸引してオゾンで脱臭することが記載されている。
【０００３】
一方、特許文献５〜７には、仮設トイレのボックスを、ドアパネルを含めてプラスチックのブロー成形体からなる中空２重壁構造のパネルで構成することが記載されている。
【先行技術文献】
【特許文献】
【０００４】
【特許文献１】特開２００２−３０６３７１号公報
【特許文献２】特開２００２−２５３６４６号公報
【特許文献３】特開２００１−２４８２０２号公報
【特許文献４】特開平９−３２８８０１号公報
【特許文献５】特開２００５−２４８５５３号公報
【特許文献６】特開平８−１０３９４４号公報
【特許文献７】特開平８−８４６８７号公報
【発明の概要】
【発明が解決しようとする課題】
【０００５】
仮設トイレは主として屋外で不特定多数の人々により使用され、清掃等も行き届かないため、一般家庭のトイレやビル内等のトイレに比べて有害菌やウイルスによって汚染される可能性が比較的高く、臭気も強い。一方、特許文献１に記載されているように、ボックス内上部にオゾン発生器を設置し、オゾンをボックス内に放出することにより、脱臭効果を得ることができ、また、空気中に浮遊する有害菌やウイルスの殺菌（減菌を含む）の効果をある程度見込むことができる。
【０００６】
しかし、特許文献１の方法ではボックス外のドアノブ（ドアの開閉のための取っ手）の殺菌ができず、ボックス内のドアノブに対しても殺菌効果はほとんどない。これは特許文献２〜４の方法でも同様である。また、ドアノブを抗菌樹脂製とし、あるいは抗菌塗料を塗布することも行われているが、あまり殺菌効果がなく、消臭効果は全くない。消毒剤や消臭剤を噴霧する場合、一時的な効果が得られるが、継続性に欠けるという問題がある。
【０００７】
仮設トイレにおいてボックス内外のドアノブは、不特定多数の人々の手で絶えず触れられ、有害菌やウイルスによって最も汚染されやすい箇所の一つである。その一方で、前記ドアノブの殺菌がなされていれば、ドアの開閉に伴う有害菌やウイルスの人への付着を防止又は最小限に抑制でき、またドア以外のどこにも手を触れることなく仮説トイレを使用することもできるので、衛生的に仮設トイレを利用できるようになる。このような事情から、仮設トイレのボックス内外のドアノブの効果的な殺菌手段が求められている。
【０００８】
従って、本発明は、仮設トイレのドアノブの効果的な殺菌手段、及びボックス内の効果的な消臭手段を提供することを目的とする。
【課題を解決するための手段】
【０００９】
本発明（請求項１）は、殺菌・消臭機能付き仮設トイレに関し、仮設トイレのボックスの一部としてプラスチックのブロー成形体からなる中空２重壁のドアパネルを有し、前記ドアパネルの中空内部にオゾン発生器と、オゾン発生器で発生したオゾンをトイレボックス内外へ導く通気経路と、オゾン発生器で発生したオゾンを通気経路を通して送り出すファンが設置され、前記通気経路がトイレボックスの内側及び外側に設置されたノブの近傍に開口する放出開口に接続され、オゾンが前記放出開口から前記ノブに向けて放出されることを特徴とする。なお、本発明においてドアのノブは、ドア開閉のためにドアに取り付けられた取っ手全般を意味する。
【００１０】
また、本発明（請求項２，３）は、外気の自然流通（風）を利用した殺菌・消臭機能付き仮設トイレに関し、ドアパネルの中空内部にオゾン発生器が設置され、トイレボックスの内側及び外側に設置されたノブの近傍に放出開口が開口し、かつトイレボックスの外側に前記中空内部に通じる空気流入開口が開口し、前記空気流入開口から前記中空内部に流入した空気とともにオゾンが前記放出開口から前記ノブに向けて放出されることを特徴とする。前記ドアパネルの中空内部にオゾン発生器で発生したオゾンをトイレボックス内外へ導く通気経路が構成されていることが望ましい。この通気経路は前記放出開口及び空気流入開口に連通する。
【発明の効果】
【００１１】
本発明によれば、オゾンをドアノブに向けて放出するので、ドアノブに付着した有害菌やウイルスの殺菌を効果的に行うことができ、ドアの開閉に伴って利用者の手に有害菌やウイルスが付着するのを防止することができる。そして、ドアノブ以外のどこにも手を触れることなく仮設トイレを利用することもできるので、Ｏ−１５７等の有害菌やインフルエンザウイルス等による汚染及び蔓延を防止又は抑制することができる。
また、トイレボックスの内側のノブに向けて放出されたオゾンは、トイレボックス内に拡散し、トイレボックス内の空気中に浮遊する有害菌やウイルスの殺菌、及びトイレボックス内の消臭効果をもたらす。
【００１２】
本発明では、オゾン発生器、ファン及び通気経路を、中空２重壁のドアパネルの中空内部に設置している。このため、これらの機器を設置するスペースをトイレボックス内の空間に取る必要がなく、これまで利用価値のなかったドアパネル内の空間を設置スペースとして利用できる。また、ドアパネル内に隠れて設置されるため、不心得者のいたずらで機器が破損されるようなことも防止できる。さらに、これらの機器をドアノブの近傍（放出開口の近傍）に設置すると通気経路を短縮でき、オゾンの殺菌効果が高く、機器のコストを抑えることもできる。
外気の自然流通（風）を利用する場合、使用機器の点数が減り、使用エネルギーも減るので、殺菌・消臭の初期コスト及びランニングコストの低減を図ることができる。
【図面の簡単な説明】
【００１３】
【図１】本発明に係る仮設トイレの斜視図である。
【図２】ドアパネルの室外側（ａ）及び室内側（ｂ）のノブ近傍の正面図である。
【図３】ドアパネルのノブ近傍の断面図（図１のＡ−Ａ矢視断面）である。
【図４】本発明に係る別の仮設トイレのドアパネルの正面図（ａ）及び背面図（ｂ）である。
【図５】図４（ａ）のＢ−Ｂ矢視断面図である。
【発明を実施するための形態】
【００１４】
以下、図１〜図５を参照して、本発明に係る仮設トイレについて説明する。
まず、図１〜３に示す仮設トイレは、便槽１と、その上に設置されたトイレボックス２と、トイレボックス２内に設置された、いずれも図示しないフロアパネル、踏み台、便器（特許文献６，７参照）等からなる。
【００１５】
トイレボックス２は、枠状の前面側壁パネル３、前面側壁パネル３の枠内に嵌り、右側のヒンジにより開閉可能とされたドアパネル４、左面側壁パネル５、右面側壁パネル（図示されず）、背面側壁パネル（図示されず）、及び天井パネル６からなる。これらのパネルはいずれも中空２重壁のパネルであり、プラスチックのブロー成形体からなる（特許文献５〜７参照）。
【００１６】
ドアパネル４には、室内外のドアノブ、ラッチ、ロックキー、室内外両面のパネル等を含むノブ機構部７（図３参照）が取り付けられている。図３において、８，９はドアパネル４の内外壁、１１は内部空間である。
ノブ機構部７の室外側パネル１２の表には、左側に向かって深くなる凹所１３が形成され、凹所１３の左端にノブ１４が配置され、右側のやや浅い箇所にノブ１４に向いて開口する放出開口１５が配置されている。また、室外側パネル１２には、男女共用であることを示す表示板１６が貼り付けられ、使用中か使用中でないかを示す表示器１７が設置されている。  
ノブ機構部７の室内側パネル１８の表には、ノブ１９と、図示しないロックキーのロック及び解除を行うロック摘み２１が配置され、ノブ１９の近傍に形成された突出部２２にノブ１９に向いて開口する放出開口２３が形成されている。
【００１７】
トイレボックス２の外側からノブ１４に指を引っ掛けて引くと、図示しない前記ラッチが前面側壁パネル３側に設置したラッチ受けから外れてドアパネル４が開き、トイレボックス２内に入ってノブ１９を指で持ち内側に引いてドアパネル４を閉めるとラッチが掛かる。ロック摘み２１を回すことで、ドアパネル４は前面側壁パネル３にロックされ、それが表示器１７に表示される。また、トイレボックス２の内側から、ロック摘み２１を逆に回すとドアパネル４のロックキーが解除され、それが表示器１７に表示される。続いて、ノブ１９を外側に押すと前記ラッチが外れてドアパネル４が開き、トイレボックス２外に出てノブ１４を押してドアパネル４を閉めると前記ラッチが掛かる。
【００１８】
ドアパネル４の内部空間１１のノブ機構部７近傍に、殺菌・消臭装置２４が設置されている。殺菌・消臭装置２４は、オゾン発生器２５、ファン２６、及び前記放出開口１５，２３に接続された通気経路（通気管）２７からなる。オゾン発生器２５で発生させたオゾンは、ファン２６により通気経路２７に送り出され、通気経路２７を通って放出開口１５，２３からノブ１４，１９に向けて放出される。放出開口２３から放出されるオゾンの一部はロック摘み２１にも向かう。殺菌・消臭装置２４の電源としては、商用電源又は仮設トイレに設置した太陽電池等が利用できる。
【００１９】
放出開口１５，２３から放出されるオゾンは、ノブ１４，１９及びロック摘み２１に付着した有害菌やウイルスを殺菌し、さらに放出開口２３から放出されるオゾンはトイレボックス２内に拡散し、空気中に浮遊する有害菌やウイルスを殺菌し、かつトイレボックス２内に消臭効果をもたらす。なお、放出開口１５，２３以外にも放出開口を設け、トイレボックス２内に放出、あるいはトイレボックス２内の他の設備に向けて放出することもできる。
【００２０】
図４，５は、本発明に係る別の仮設トイレ（特にドアパネル４）を示すものであり、ドアパネル４の中空内部に、殺菌・消臭装置としてオゾン発生器２５のみを備える。なお、図４，５において、図１〜３に示す仮設トイレ（特にドアパネル）と実質的に同じ部位には同じ番号を付与している。
ドアパネル４において、内壁８の一部が外壁９側に張り出し、外壁９の内面に溶着して、補強用の凹状リブ３１（一部に３１ａ〜３１ｃの記号を付与）が複数カ所形成されている。室内側（図４（ｂ））にリブ３１の凹所が露出している。
【００２１】
ドアパネル４の外側（室外側）には、外壁９にノブ１４が設置されている。ノブ１４は、その基部が外壁９に形成された凹所に嵌り、固定されている。外壁９とノブ１４の基部には穴（放出開口１５）が形成されている。また、ノブ１４から少し離れた位置において、外壁９に広めの空気流入開口３２が形成されている。
ドアパネル４の内側（室内側）には、回転してロック機能を兼ねる摘み（ノブ１９）が設置され、ノブ１９の近傍の内壁に形成された突出部２２に、ノブ１９に向いて開口する放出開口２３が形成されている。なお突出部２２はノブ１９のロック止めを兼ねる。
ドアパネル４の内部空間１１には、オゾン発生器２５が設置されている。
【００２２】
前記オゾン発生器２５、空気流入開口３２、及び放出開口１５，２３は、リブ３１ａ〜３１ｃにおおよそ囲まれた範囲内に配置されている。リブ３１ａ〜３１ｃは、内部空間１１にオゾン発生器で発生したオゾンをトイレボックス内外へ導く通気経路を構成するもので、風向きにより、あるいはドアを開く勢いにより、空気流入開口３２からドアパネルの内部空間１１に入った空気は、ほぼリブ３１ａ〜３１ｃに囲まれた範囲内で、図５の矢印に示すように、オゾン発生器２５の近傍を通り、オゾンと共に放出開口１５，２３から流出し、ノブ１４，１９に向かう。
【符号の説明】
【００２３】
２  トイレボックス
４  ドアパネル
７  ノブ機構部
１４，１９  ドアノブ
１５，２３  放出開口
２４  殺菌・消臭装置
２５  オゾン発生器
２６  ファン
２７  通気経路（通気管）
３２  空気流入開口
【図１】
0005405396.tif 000002
【図２】
0005405396.tif 000003
【図３】
0005405396.tif 000004
【図４】
0005405396.tif 000005
【図５】
0005405396.tif 000006